【事件の表示】
　特願２００２−３７９３６３「１つの対角パリティグループと複数の行パリティグループとの組み合わせを用いたストレージアレイにおける複数ブロックデータ損失の訂正」拒絶査定不服審判事件〔平成１５年　８月２２日出願公開、特開２００３−２３３４６９〕について、次のとおり審決する。
【結　論】
　本件審判の請求は、成り立たない。
【理　由】
１．手続の経緯
　本願は、平成１４年１２月２７日（パリ条約による優先権主張２００１年１２月２８日、米国）の出願であって、平成１４年１２月２７日付けで外国語書面が提出され、平成１５年２月２１日付けで外国語書面の翻訳文が提出され、平成１９年８月２日付けで拒絶理由が通知され、平成２０年２月７日付けで手続補正がなされたが、同年５月１日付けで拒絶査定がなされ、これに対し、同年８月４日に拒絶査定不服の審判が請求されるとともに、同日付けで手続補正がなされたものである。
　
２．本願発明
　本願の請求項１〜２７に係る発明は、平成２０年８月４日付け手続補正書により補正された特許請求の範囲の請求項１〜２７に記載された事項により特定されるとおりのものであるところ、請求項１４に係る発明は、次のとおりのものである。
（なお、補正後の請求項１４は、平成２０年８月４日付けの手続補正により、補正前の請求項１６が繰り上がったもので、該手続補正の前後において、請求項の記載自体は何ら変更されていない。）
「【請求項１４】
　アレイにおける複数の記憶要素故障を複数の第１の故障復旧グループ及び１つの第２の故障復旧グループを使用して訂正するように構成されたシステムであって、
　　連結された複数のサブアレイを有するストレージアレイを含み、該サブアレイのそれぞれが、データ記憶要素の集合と、サブアレイ内の単一のデータ記憶要素故障を訂正するのに使用される第１の値を記憶する第１の故障復旧記憶要素とを含み、前記ストレージアレイは、該ストレージアレイに関連する大域故障復旧記憶要素をさらに含み、二重データ記憶要素故障を訂正するために前記１つの第２の故障復旧グループについての第２の値を保持し、該第２の値が、前記連結された複数のサブアレイに対して計算される、システム。」
　
３．引用例
　原査定の拒絶の理由に引用された、本願の優先日前に頒布された刊行物である、特開平７−２００１８７号公報（以下、「引用例」という。）には、図面とともに、次の技術事項が記載されている。
（イ）「【０００１】
【産業上の利用分野】本発明は、コンピュータシステムなどに用いるディスクファイルシステムに関し、特に高速でかつ高信頼なディスクアレイ装置に関する。」（第３頁第３欄第２７〜３０行）、
　
（ロ）「【００２１】グローバルディスクアレイ制御装置（１０３）と複数のローカルディスクアレイ制御装置（１０４，１０５，１０６，１０７）は共に、ディスク装置（１３３，１３４，１３５，１３６）の障害やディスク装置（１３３，１３４，１３５，１３６）内のディスクドライブ（１３７，１３８，１３９，１４０）の障害時に、パリティを使用して障害回復が可能である。」（第４頁第６欄第３４〜４０行）、
　
（ハ）「【００３８】図４は、本発明における動作の概要の一例を示しており、本発明の特徴と効果の一例を以下に述べる。
【００３９】本動作概要は、ホストプロセッサ（１０１）からデータ（２２３）がディスク装置（１３３，１３４，１３５，１３６）内のディスクドライブ（１３７，１３８，１３９，１４０）に格納されるまでの動作とデータの流れを示している。
【００４０】ホストプロセッサ（１０１）から転送されたデータ（２２３）は、ディスクアレイ制御装置（１０２）内のグローバルディスクアレイ制御装置（１０３）で、ローカルディスクアレイ制御装置（１０４，１０５，１０６，１０７）の台数からグローバルパリティ格納用のローカルディスクアレイ制御装置（１０７）の台数を除いた数に分割される（２０１）。同時に、ホストプロセッサ（１０１）から転送されたデータ全体のグローバルパリティが生成される（２０２）。これらのデータは、並列にローカルディスクアレイ制御装置（１０４，１０５，１０６，１０７）に転送される。
【００４１】一般に、ディスクアレイは、信頼性の向上のために、データとは異なるパリティを生成しディスクドライブに格納しておく。もし、ディスクドライブに障害が発生しても、パリティと障害が発生したディスクドライブ以外のディスクドライブのデータとから、障害が発生したディスクドライブのデータを、演算により求めることができる。
【００４２】ローカルディスクアレイ制御装置（１０４，１０５，１０６，１０７）にデータが転送されると、各ローカルディスクアレイ制御装置（１０４，１０５，１０６，１０７）内で、ローカルディスクアレイ制御装置（１０４，１０５，１０６，１０７）に接続されているディスクドライブ（１３７，１３８，１３９，１４０）の数からパリティ格納用ディスクドライブを除いた台数分にデータの分割が行われる（２０７，２０９，２１１，２１３）。さらに同時に、グローバルディスクアレイ制御装置（１０３）から転送されたデータのパリティが生成される（２０８，２１０，２１２，２１４）。ローカルディスクアレイ制御装置（１０４，１０５，１０６，１０７）内で分割されたデータとパリティは、並列にディスクドライブ（１３７，１３８，１３９，１４０）に格納される。
【００４３】ローカルディスクアレイ制御装置（１０４，１０５，１０６，１０７）は、それそれ単独で動作可能な機構を持っているため、全てのディスクドライブ（１３７，１３８，１３９，１４０）の並列動作が可能となる。こういった構成により、大規模なデータの高速な入出力が可能となる。
【００４４】さらには、通常のディスクアレイのパリティ以外に、ローカルディスクアレイ制御装置（１０４，１０５，１０６）間のパリティ（グローバルパリティ）を生成／格納していることから高い信頼性を得ることができる。つまり、各ローカルディスクアレイ制御装置（１０４，１０５，１０６，１０７）での回復処理と、上位のグローバルディスクアレイ制御装置（１０３）での回復処理といったように、本発明では障害回復処理が多層化されることによる。」（第５頁第８欄第３８行〜第６頁第９欄第４３行）、
　
（ニ）「【０１３０】図２１は、グローバルパリティの生成の様子を示している。
【０１３１】１９０１はパリティを生成するデータ群であり、１９０２はグローバルディスクアレイ制御装置（１０３）のストライピングサイズである。この２つのデータをパリティ生成部（１４０６）に転送することで、まずデータ群（１９０１）をグローバルディスクアレイ制御装置（１０３）のストライピングサイズに分割し（１９０３，１９０４，１９０５）、それぞれについて排他的論理和を取る（１９０６，１９０７）。これにより、グローバルパリティが生成される。」（第１３頁第２３欄第２６〜３６行）、
　
（ホ）「【０１４０】図２４は、データ回復制御プログラム（１４０８）のフローチャートを示している。
【０１４１】ディスクアレイ装置にはデータの回復手段が設けられている。本発明では、通常のディスクアレイに比べより高信頼のディスクアレイにするために、パリティの階層化を行なっている。ローカルディスクアレイ制御装置（１０４，１０５，１０６，１０７）が管理するパリティと、グローバルディスクアレイ制御装置（１０３）が管理するグローバルパリティである。グローバルパリティは、複数のローカルディスクアレイ制御装置（１０４，１０５，１０６，１０７）に渡るパリティである。
【０１４２】ローカルディスクアレイ制御装置（１０４，１０５，１０６，１０７）が管理するパリティは、そのローカルディスクアレイ制御装置（１０４，１０５，１０６，１０７）内でのみ使用することができる。従って、ローカルディスクアレイ制御装置（１０４，１０５，１０６，１０７）内のいづれかのディスクドライブに障害が発生した場合に、そのパリティを使用して、障害ドライブのデータを回復することができる。
【０１４３】グローバルパリティは、複数のローカルディスクアレイ制御装置（１０４，１０５，１０６，１０７）に渡って作成されているため、前述のディスクドライブ単体の障害時にも使用することは可能であるが、それ以上にローカルディスクアレイ制御装置（１０４，１０５，１０６，１０７）そのものが障害を起こしたときに使用することができることの意味が大きい。
【０１４４】図２４のフローチャートでは障害回復を階層化した動作を示している。
【０１４５】ステップ２２０１では、ローカルディスクアレイ制御装置（１０４，１０５，１０６，１０７）の回復処理が可能かどうか判定する。この判定にはさまざまな要因が考えられる。例えば、障害回復機構の障害や、パリティで回復できる範囲を越えた障害時には、ローカルディスクアレイ制御装置（１０４，１０５，１０６，１０７）単体では障害回復ができない。この場合は、ステップ２２０２に進む。
【０１４６】ステップ２２０２では、パリティ領域の障害かどうか判定する。パリティ障害であれば、データ部分の障害ではないため、ここでは回復処理を行なわない。ステップ２２０３では、障害を起こしたローカルディスクアレイ以外のデータを取得する。この場合、パリティデータも含む。ステップ２２０４では、ステップ２２０３で取得したデータあるいはパリティから、障害を起こした部分のデータを回復する。
【０１４７】なお、ここでは述べていないが、グローバルパリティのパリティも存在することがある。これは、グローバルディスクアレイ制御装置（１０３）がローカルディスクアレイ制御装置（１０４，１０５，１０６，１０７）にグローバルパリティデータを格納したときに、ローカルディスクアレイ制御装置（１０４，１０５，１０６，１０７）内では、グローバルパリティデータも通常のデータと同じくパリティを作成／格納するためである。本発明では、このようにパリティ情報も階層化されているため、高い信頼性を得ることができる。」（第１４頁第２５欄第８行〜同頁第２６欄第１２行）
　
（へ）「【０１８４】図３４は、本実施例における障害回復動作の一例を示す。この図を参照して、本発明による障害回復動作の一例を説明する。
【０１８５】本例では、ローカルディスクアレイ制御部（１０４）が管理するディスクドライブの一つに障害が発生し、さらに、ローカルディスクアレイ制御装置（１０５）に障害が発生したとき、ホストプロセッサ（１０１）からデータの読みだし要求が出されたときの回復動作を示している。
【０１８６】まず、ローカルディスクアレイ制御装置（１０４）は、障害が発生したドライブ以外のドライブからデータを読みだし、障害が発生したドライブのデータを修復する（３２０４）。修復されたデータと正常ドライブのデータはマージされて（３２０３）、グローバルディスクアレイ制御装置（１０３）へ転送する。
【０１８７】ローカルディスクアレイ制御装置（１０５）は、要求されたデータ（３２０５）をそのままグローバルディスクアレイ制御装置（１０３）へ転送する。グローバルディスクアレイ制御装置（１０３）は、ローカルディスクアレイ制御装置（１０５）が単独で修復不可能であることを判断し、グローバルパリティを使用したデータ修復を行なう。
【０１８８】そのために、グローバルパリティが格納されているローカルディスクアレイ制御装置（１０７）から、回復に必要なグローバルパリティ（３２０６）を読みだす。グローバルパリティ（３２０６）と正常にデータが読みだされたローカルディスクアレイのデータは、グローバルディスクアレイ制御装置（１０３）内で、障害が発生したローカルディスクアレイ制御装置（１０５）のデータを修復する（３２０２）。修復されたデータは、正常にデータが読みだされたローカルディスクアレイのデータとマージされ（３２０１）、ホストプロセッサ（１０１）へ転送される。
【０１８９】このように、本発明では、ドライブ障害だけでなく、ディスクアレイそのものに障害が発生しても、ホストプロセッサ（１０１）の処理を中断することがない。
【０１９０】図３５は、本発明によるディスクアレイ装置のパリティデータの格納の一例を示している。図中、Ｐはローカルディスクアレイ制御装置（１０４，１０５，１０６，１０７）により生成されたパリティを示し、ＧＰはグローバルディスクアレイ制御装置（１０３）により生成されたパリティを示す。
【０１９１】３３０１−３３０４は、ローカルディスクアレイ制御装置（１０４，１０５，１０６，１０７）のＲＡＩＤレベルが３または４のときのパリティを示す。それに対し、３３００はグローバルディスクアレイ制御装置（１０３）が生成したパリティであり、このときグローバルディスクアレイ制御装置（１０３）のＲＡＩＤレベルは３または４である。」（第１６頁第３０欄第４９行〜第１７頁第３１欄第４８行。なお、「障害が発生したローカルディスクアレイ制御装置」の図３４における引用符号は、（１０５）ではなく（１０６）である。）
　
　また、図３５には、各ローカルディスクアレイ制御装置（１０４，１０５，１０６，１０７）において、パリティ格納用以外の複数のディスクドライブに格納されたデータから、パリティ（３３０１，３３０２，３３０３，３３０４）を生成してパリティ格納用のディスクドライブに格納することが記載されている。
　
　よって、上記引用例記載事項及び図面の記載を総合勘案すると、引用例には、次の発明（以下、「引用発明」という。）が記載されていると認められる。
　
「コンピュータシステムに用いられるディスクファイルシステムであるディスクアレイ装置であって、通常のディスクアレイに比べより高信頼のディスクアレイにするために、ローカルディスクアレイ制御装置（１０４，１０５，１０６，１０７）が管理するパリティと、グローバルディスクアレイ制御装置（１０３）が管理するグローバルパリティとでパリティの階層化を行ない、グローバルパリティは、グローバルディスクアレイ制御装置（１０３）内で、分割されたデータ群（１９０３，１９０４，１９０５）それぞれについて排他的論理和を取ることにより、グローバルパリティ格納用のローカルディスクアレイ制御装置（１０７）以外の複数のローカルディスクアレイ制御装置（１０４，１０５，１０６）間で生成され、グローバルパリティ格納用のローカルディスクアレイ制御装置（１０７）にグローバルパリティデータとして格納され、ローカルディスクアレイ制御装置（１０４，１０５，１０６，１０７）が管理するパリティは、各ローカルディスクアレイ制御装置（１０４，１０５，１０６，１０７）内で、分割されたデータから生成され、分割されたデータとパリティは、並列に、ローカルディスクアレイ制御装置（１０４，１０５，１０６，１０７）に接続されているディスクドライブ（１３７，１３８，１３９，１４０）に格納され、ディスクドライブ（１３７，１３８，１３９，１４０）は、パリティ格納用ディスクドライブを含み、
　グローバルディスクアレイ制御装置（１０３）と複数のローカルディスクアレイ制御装置（１０４，１０５，１０６，１０７）は共に、ディスク装置（１３３，１３４，１３５，１３６）の障害やディスク装置（１３３，１３４，１３５，１３６）内のディスクドライブ（１３７，１３８，１３９，１４０）の障害時に、パリティを使用して障害回復が可能であるが、ローカルディスクアレイ制御装置（１０４，１０５，１０６，１０７）が管理するパリティは、ローカルディスクアレイ制御装置（１０４，１０５，１０６，１０７）内のいづれかのディスクドライブに障害が発生した場合に、そのパリティを使用して、障害ドライブのデータを回復することができ、ローカルディスクアレイ制御装置（１０４，１０５，１０６，１０７）そのものが障害を起こしたときなど、ローカルディスクアレイ制御装置（１０４，１０５，１０６，１０７）が管理するパリティで回復できる範囲を越えた障害時には、グローバルパリティを使用して障害を起こした部分のデータを回復することができる、ディスクアレイ装置。」
　
４．対比
　本願発明と引用発明とを対比する（なお、記載を簡潔にするため、混乱の生じない限り、「ローカルディスクアレイ制御装置」という用語は、それに接続された「ディスク装置」や、「ディスク装置」中の「ディスクドライブ」を含む意味で用いる。）。
　引用発明の複数のローカルディスクアレイ制御装置（１０４，１０５，１０６，１０７）は、それらの上位にグローバルディスクアレイ制御装置（１０３）が設けられているから、連結された複数の下位のアレイ制御装置といえる。よって、引用発明において、グローバルパリティ格納用以外の複数の「ローカルディスクアレイ制御装置（１０４，１０５，１０６）」が、本願発明の「連結された複数のサブアレイ」に相当する。
　次に、引用発明では、「ローカルディスクアレイ制御装置（１０４，１０５，１０６，１０７）そのものが障害を起こしたときなど、ローカルディスクアレイ制御装置（１０４，１０５，１０６，１０７）が管理するパリティで回復できる範囲を越えた障害時には、グローバルパリティを使用して障害を起こした部分のデータを回復することができる」から、引用発明において、グローバルパリティをグローバルパリティデータとして格納する「グローバルパリティ格納用のローカルディスクアレイ制御装置（１０７）」が、本願発明の「大域故障復旧記憶要素」に相当する。
　次に、引用発明において、「ローカルディスクアレイ制御装置（１０４，１０５，１０６，１０７）が管理するパリティ」は、「ローカルディスクアレイ制御装置（１０４，１０５，１０６，１０７）内のいづれかのディスクドライブに障害が発生した場合に、そのパリティを使用して、障害ドライブのデータを回復することができ」るから、本願発明の「サブアレイ内の単一のデータ記憶要素故障を訂正するのに使用される第１の値」に相当する。
　それゆえ、引用発明において、該「ローカルディスクアレイ制御装置（１０４，１０５，１０６，１０７）が管理するパリティ」を格納する「ローカルディスクアレイ制御装置（１０４，１０５，１０６，１０７）」の「パリティ格納用ディスクドライブ」が、本願発明の「第１の値を記憶する第１の故障復旧記憶要素」に相当する。
　次に、引用発明の「ローカルディスクアレイ制御装置（１０４，１０５，１０６）」に接続された「ディスクドライブ」のうち、「パリティ格納用ディスクドライブ」以外の「ディスクドライブ」が、本願発明の「データ記憶要素」に相当する。
　次に、引用発明における「データ」の「回復」が、本願発明における「記憶要素故障」の「訂正」や「復旧」に相当する。
　次に、引用発明において、「ローカルディスクアレイ制御装置（１０４，１０５，１０６，１０７）」は複数あるから、引用発明において、「ローカルディスクアレイ制御装置（１０４，１０５，１０６，１０７）が管理するパリティ」を生成するための「分割されたデータ」が、本願発明の「複数の第１の故障復旧グループ」に相当する。
　次に、引用発明において、引用発明の「分割されたデータ群（１９０３，１９０４，１９０５）」のうち、「グローバルパリティ」を生成するのに用いられる「グローバルパリティ格納用のローカルディスクアレイ制御装置（１０７）以外の複数のローカルディスクアレイ制御装置（１０４，１０５，１０６）間」のデータが、本願発明の「１つの第２の故障復旧グループ」に相当する。
　次に、「パリティを使用して」「データを回復する」とは、そのパリティを生成したデータグループに属する何れかのデータに障害が発生した場合に、そのパリティと、障害の発生していない残りのデータとを使用して、障害の発生したデータの回復を図ることを意味する（必要であれば、引用例の【従来の技術】欄の第【０００３】段落の記載参照。）から、引用発明において、「グローバルディスクアレイ制御装置（１０３）と複数のローカルディスクアレイ制御装置（１０４，１０５，１０６，１０７）は共に、ディスク装置（１３３，１３４，１３５，１３６）の障害やディスク装置（１３３，１３４，１３５，１３６）内のディスクドライブ（１３７，１３８，１３９，１４０）の障害時に、パリティを使用して障害回復」を行うことが、本願発明の「アレイにおける複数の記憶要素故障を複数の第１の故障復旧グループ及び１つの第２の故障復旧グループを使用して訂正する」ことに相当する。
　次に、引用発明において、「グローバルパリティ」が、「排他的論理和を取ることにより、グローバルパリティ格納用のローカルディスクアレイ制御装置（１０７）以外の複数のローカルディスクアレイ制御装置（１０４，１０５，１０６）間で生成され」ることが、本願発明の「該第２の値が、前記連結された複数のサブアレイに対して計算される」ことに相当する。
　そして、引用発明において、「グローバルパリティ」を「グローバルパリティ格納用のローカルディスクアレイ制御装置（１０７）にグローバルパリティデータとして格納」することが、本願発明の「第２の故障復旧グループについての第２の値を保持」することに相当する。
　次に、引用発明において、「グローバルパリティ」は、ローカルディスクアレイ制御装置（１０４，１０５，１０６，１０７）が管理するパリティで回復できる範囲を越えた障害時、つまり「ローカルディスクアレイ制御装置（１０４，１０５，１０６，１０７）内のいづれかのディスクドライブに障害が発生した場合」を越えたデータ故障時にデータを回復するために用いられるから、引用発明において、かかる「ローカルディスクアレイ制御装置（１０４，１０５，１０６，１０７）が管理するパリティで回復できる範囲を越えた障害時」に用いられる「グローバルパリティ」と、本願発明の「二重データ記憶要素故障を訂正するため」の「第２の値」とは、単一のデータ記憶要素故障を越えた故障を訂正するための第２の値である点で一致する。
　次に、引用発明の「ディスクアレイ装置」は「コンピュータシステムに用いられるディスクファイルシステム」である。
　
　すると、本願発明と、引用発明とは、次の点で一致する。
＜一致点＞
「アレイにおける複数の記憶要素故障を複数の第１の故障復旧グループ及び１つの第２の故障復旧グループを使用して訂正するように構成されたシステムであって、
　　連結された複数のサブアレイを有するストレージアレイを含み、該サブアレイのそれぞれが、データ記憶要素の集合と、サブアレイ内の単一のデータ記憶要素故障を訂正するのに使用される第１の値を記憶する第１の故障復旧記憶要素とを含み、前記ストレージアレイは、該ストレージアレイに関連する大域故障復旧記憶要素をさらに含み、単一のデータ記憶要素故障を越えた故障を訂正するために前記１つの第２の故障復旧グループについての第２の値を保持し、該第２の値が、前記連結された複数のサブアレイに対して計算される、システム。」
　
　一方で、両者は次の点で相違する。
＜相違点＞
　本願発明では、「二重データ記憶要素故障を訂正するため」に「第２の値」を保持しているのに対し、引用発明では、「グローバルパリティ」（第２の値）を、ローカルディスクアレイ制御装置（１０４，１０５，１０６，１０７）が管理するパリティで回復できる範囲を越えた障害時におけるデータの回復（訂正）のために「グローバルパリティ格納用のローカルディスクアレイ制御装置（１０７）にグローバルパリティデータとして格納」（保持）している点。
　
５．判断
　そこで、上記相違点について検討すると、引用発明の「グローバルパリティ」は、「分割されたデータ群（１９０３，１９０４，１９０５）それぞれについて排他的論理和を取ることにより、グローバルパリティ格納用のローカルディスクアレイ制御装置（１０７）以外の複数のローカルディスクアレイ制御装置（１０４，１０５，１０６）間で生成され」ているから、グローバルパリティ格納用のローカルディスクアレイ制御装置（１０７）以外の特定のローカルディスクアレイ制御装置（１０４，１０５，１０６）に接続された、パリティ格納用ディスクドライブ以外の２台のディスクドライブが同時に故障した場合、つまり、「二重データ記憶要素故障」の場合には、パリティを用いた通常のデータ回復方法に従い、グローバルパリティ格納用のローカルディスクアレイ制御装置（１０７）に格納された「グローバルパリティ」と、故障の生じていない他のローカルディスクアレイ制御装置（１０４，１０５，１０６）のディスクドライブのデータとの間で排他的論理和を取ることによって、故障の生じた２台のディスクドライブのデータを回復しうることは当業者にとって明らかなことである（例えば、引用例の【図４】、【図２１】を用いて説明すると、引用発明では、［１｜２｜３｜４］のデータ群と［５｜６｜７｜８］のデータ群と［９｜１０｜１１｜１２］のデータ群との間で排他的論理和を取ることによりグローバルパリティが生成され、グローバルパリティデータとしてグローバルパリティ格納用のローカルディスクアレイ制御装置（１０７）に格納されることになるが、このグローバルパリティデータを［ＧＰ１｜ＧＰ２｜ＧＰ３｜ＧＰ４］と表すと、ローカルディスクアレイ制御装置（１０４）において［１］のデータを格納するディスクドライブと［２］のデータを格納するディスクドライブとが同時に故障した場合には、パリティを用いた通常のデータ回復方法に従い、グローバルパリティ格納用のローカルディスクアレイ制御装置（１０７）から得られる［ＧＰ１｜ＧＰ２］のグローバルパリティと、ローカルディスクアレイ制御装置（１０５）のディスクドライブから得られる［５｜６］のデータと、ローカルディスクアレイ制御装置（１０６）のディスクドライブから得られる［９｜１０］のデータとの間で排他的論理和を取ることにより、故障した２台のディスクドライブに格納されていた［１｜２］のデータを回復することができる。）。
　よって、引用発明において、「グローバルパリティ」（第２の値）を、「グローバルパリティ格納用のローカルディスクアレイ制御装置（１０７）」以外の特定の「ローカルディスクアレイ制御装置（１０４，１０５，１０６）」に接続された、パリティ格納用ディスクドライブ以外の２台のディスクドライブが同時に故障した場合、つまり、「二重データ記憶要素故障」の場合におけるデータの回復（訂正）のために「グローバルパリティ格納用のローカルディスクアレイ制御装置（１０７）にグローバルパリティデータとして格納」（保持）することは、当業者が容易になし得たことである。
　
　また、本願発明の作用効果も、引用発明及び周知技術に基づいて当業者が予測しうる程度のものである。
　
　従って、本願発明は、引用例に記載された発明及び周知技術に基づいて、当業者が容易に発明をすることができたものである。
　
６．むすび
　以上のとおり、本願の請求項１４に係る発明は、特許法第２９条第２項の規定により、特許を受けることができないものである。
　したがって、その余の請求項について論及するまでもなく、本願は拒絶すべきものである。
　よって、結論のとおり審決する。